(57)【要約】【課題】一方の筐体と他方の筐体とが折畳み可能に連接される携帯端末装置を、充電装置に装着した場合に、充電装置からの取外しを、容易な操作で行うことができる携帯端末装置を提供すること。【解決手段】一方の筐体２と他方の筐体３とが折畳み可能に連結されるとともに、充電装置に装着された際に、該充電装置に係合する係合部６０を備えた携帯端末装置１であって、前記一方の筐体２と他方の筐体３とが折畳まれた状態にて前記係合部６０を前記充電装置に係合可能な状態におき、前記一方の筐体２と他方の筐体３を開いた状態にて前記係合部を前記充電装置に係合不能な状態におく切換機構３０を備えてなることを特徴とする。【選択図】    図３
2004297510.tif 000002
【特許請求の範囲】
【請求項１】
一方の筐体と他方の筐体とが折畳み可能に連結されるとともに、充電装置に装着された際に、該充電装置に係合する係合部を備えた携帯端末装置であって、
前記一方の筐体と他方の筐体とが折畳まれた状態にて前記係合部を前記充電装置に係合可能な状態におき、
前記一方の筐体と他方の筐体を開いた状態にて前記係合部を前記充電装置に係合不能な状態におく切換機構を備えてなる携帯端末装置。
【請求項２】
請求項１記載の携帯端末装置において、
前記係合部は、前記一方の筐体と他方の筐体の連結部にあってこれらの筐体の両側方に突出自在かつ突出状態から後退可能に設けられている係合部材からなる携帯端末装置。
【請求項３】
請求項２記載の携帯端末装置において、
前記係合部材は、保持壁部の内部に、その係合端が該保持壁部に形成された開口部から外方へ突出自在、突出状態から内方へ後退自在に支持され、
前記切換機構は、該係合部材を外方へ付勢する付勢部材と、該係合部材に設けられたカムフォロアと、一方の筐体と他方の筐体との折畳み、開放動作に連動して、前記カムフォロアを従動させることにより前記付勢部材と協働して前記係合部材を前記外方または内方に移動させるカムを備えてなる携帯端末装置。
【請求項４】
請求項２または３記載の携帯端末装置において、
前記係合部材が、前記一方の筐体と他方の筐体を折畳み自在に支持するヒンジ部の回動軸線上に配置されている携帯端末装置。
【発明の詳細な説明】
【０００１】
【発明の属する技術分野】
この発明は、一方の筐体と他方の筐体を折畳み可能な携帯端末装置に係り、特に、携帯端末装置を充電装置に装着した場合に、一方の筐体と他方の筐体を開いた状態にすることによって、携帯端末装置を充電装置から容易に取り外すことができるようにした携帯端末装置に関する。
【０００２】
【従来の技術】
周知のように、携帯電話機は、一定時間使用して電力を消耗した場合、携帯電話機を充電装置に装着、充電して、使用するようになっている。
従来の、一般の携帯電話機およびその充電装置の構成としては、たとえば携帯電話機には、その筐体の一部に充電端子が設けられ、充電装置には携帯電話機が装着される部分には、給電端子が設けられ、該充電装置で充電するためには、該充電装置から給電端子を介して電力が供給されることによって、携帯電話機の充電がされるように構成されている。
この場合、一般的には、携帯電話機を充電装置に装着した場合、定位置に固定する必要があるため、携帯電話機と充電装置の双方に、相互に係合するためのロック機構が設けられている（たとえば、特許文献１参照。）。
【０００３】
【特許文献１】
特開平８−１８６３８号公報（第３−４頁、第１図）
【０００４】
【発明が解決しようとする課題】
ところで、従来の携帯電話機においては、充電するために携帯電話機を充電装置に装着した場合には、携帯電話機が充電装置側のロック機構により、充電装置に堅固に固定されるために、充電完了後に当該携帯電話機の取り外しが困難になるという問題点がある。
特に、近年広く使用されている一方の筐体と他方の筐体とヒンジを介して接合される折畳式の携帯電話機においては、これを充電装置に装着した場合、一方の筐体を把持して携帯電話機を充電装置から取外そうとすると、携帯電話機が折畳み状態から拡開してしまい、離脱に支障をきたすという問題がある。
この発明は、このような事情を考慮してなされたもので、一方の筐体と他方の筐体とが折畳み可能に連接された折畳式携帯端末装置について、充電装置からの取外しを、容易な操作で行うことができる携帯端末装置を提供することにある。
【０００５】
【課題を解決するための手段】
上記目的を達成するために、この発明は以下の手段を提案している。
請求項１記載の発明は、一方の筐体と他方の筐体とが折畳み可能に連結されるとともに、充電装置に装着された際に、該充電装置に係合する係合部を備えた携帯端末装置であって、前記一方の筐体と他方の筐体とが折畳まれた状態にて前記係合部を前記充電装置に係合可能な状態におき、前記一方の筐体と他方の筐体を開いた状態にて前記係合部を前記充電装置に係合不能な状態におく切換機構を備えることを特徴とする。
【０００６】
この発明に係る携帯端末装置によれば、携帯端末装置を充電器に装着して、これを充電装置から離脱させる場合に、一方の筐体に対して他方の筐体を開くことにより、係合部が充電装置に対して係合不能な状態におかれるため、離脱が容易になされることになる。
【０００７】
請求項２の発明は、請求項１記載の携帯端末装置において、前記係合部は、前記一方の筐体と他方の筐体の両側方に突出自在かつ突出状態から後退可能に設けられている係合部材からなることを特徴とする。
この発明に係る携帯端末装置によれば、一方の筐体と他方の筐体の両側方において携帯端末装置を充電装置に装着し、充電装置から離脱させる場合に、携帯端末装置の充電装置からの係合離脱操作が、一方の筐体と他方の筐体の両側方においてなされる。
その結果、係合が、両側方においてなされるので、装着した際に確実にその充電装置に係合させることができる。また、離脱操作も、容易になされる。
【０００８】
請求項３の発明は、請求項２記載の携帯端末装置において、前記係合部材は、保持壁部の内部に、その係合端が該保持部に形成された開口部から外方へ突出自在、突出状態から内方へ後退自在に支持され、前記切換機構は、該係合部材を外方へ付勢する付勢部材と、該係合部材に設けられたカムフォロアと、一方の筐体と他方の筐体との折畳み、開放動作に連動して、前記カムフォロアを従動させることにより前記付勢部材と協働して前記係合部材を前記外方または内方に移動させるカムを備えることを特徴とする。
この発明に係る携帯端末装置によれば、携帯端末装置を充電装置から離脱させる際に、一方の筐体に対して他方の筐体を開くと、カムが回動してカムフォロアを従動させ、係合部材が非係合状態になって、携帯端末装置の離脱が容易になされる。
【０００９】
請求項４の発明は、請求項２または３記載の携帯端末装置において、前記係合部材が前記一方の筐体と他方の筐体を折畳み自在に支持するヒンジ部の回動軸線上に配置されていることを特徴とする携帯端末装置である。
この発明に係る携帯端末装置によれば、ヒンジに設けられた部分において、その係合部材が、充電装置に対して、ヒンジの軸線上において係脱がなされる。
【００１０】
【発明の実施の形態】
以下、図面を参照し、この発明の実施の形態について説明する。ここで説明する実施形態は、この発明を折畳式の携帯電話機に適用した場合の例である。
図１から図５は、この発明の一実施形態を示す図であり、これらの図において、符号１は携帯電話機、符号１０は充電装置を示している。
図１において、携帯電話機１は、第１の筐体２と第２の筐体３を、ヒンジ部４を中心として折畳み自在として連結したものである。筐体２の内面には、図示しない操作キーが設けられており、筐体３には図示しない表示部が設けられている。さらに筐体２には、通信用のアンテナ９が設けられている。
また、図２に示すように充電装置１０は、底部筐体１１上に側壁部１２を設けてなるものであり、底部筐体１１内部に図示しない電源装置を構成する各種電子機器が配置されている。
【００１１】
また、側壁部１２は、前壁部１４、後壁部１６、左壁部１８、右壁部２０からなっており、側壁部１８、２０には凹部１８ａと２０ａが形成されている。また、さらに、側壁部１８、２０の内面には係合突起１８ｂと２０ｂが形成されている。係合突起１８ｂと２０ｂの上面には、携帯電話機１を導入するための傾斜面１８ｃと２０ｃが形成されている。携帯電話機１を充電装置１０に装着した場合には、後述する携帯電話機１の係合部６０が充電装置１０の係合突起１８ｂと２０ｂに係合するようになっている。
【００１２】
図３は、図１の矢視Ａ−Ａに係る携帯電話機１に設けられた切換機構３０の断面を示しており、切換機構３０はヒンジ部４の中心軸線Ｏ上に設けられたものである。
図４は、図２の矢視Ｂ−Ｂに係る充電装置１０の係合突起１８ｂと２０ｂを詳細に示している。また、図中の２点鎖線は、携帯電話機１が装着された状態を示している。切換機構３０の詳細は、図５（ａ）および（ｂ）に示されている。
ヒンジ部４は、その端部に保持壁部３１を備えており、その保持壁部３１の内部は中空となっている。この保持壁部３１の内部には、係合部材６０が配設されている。保持壁部３１は、側壁部３１ａと周壁部３１ｂからなっている。
【００１３】
また、この保持壁部３１の側壁部３１ａには、外方へ開口する開口部３８が形成されており、保持壁部３１の内部には、係合部材６０が配設されている。係合部材６０は、柱状の軸部６２とカムフォロア６４を形成する板状部６６からなっている。そして、側壁部３１ａと板状部６６間には、コイルスプリング（付勢部材）４０が介装されており、係合部材６０は常時矢印Ｐ１方向に付勢されている。  図５において、上側筐体３に連接された回動壁部４５には、軸体７０が固定されている。軸体７０の端面には板状部７６が設けられており、この板状部７６には、カムフォロア６４と係合するカム７８が形成されている。
また、カムフォロア６４とカム７８は、それぞれ互いに係合するための突起部６４ａと７８ａとを備えている。
【００１４】
この構成において、一方の筐体２に対して、他方の筐体３を閉じるように回動した場合に、筐体３の回動にともなって、回動壁部４５が回動するようになっている。
上側の筐体３に連設した回動壁部４５の内部には、軸体７０の大径部７２が嵌合されており、筐体３を回動すると、小径部７４を介して板状部７６が回動する。  この板状部７６が回動することにより板状部７６に形成されたカム７８が回動し、カム７８の突起部７８ａが、カムフォロア６４の突起部６４ａと係合することによって、係合部材６０を、コイルスプリング４０の付勢力に抗して、矢印Ｐ２方向に移動させる。
この結果、この係合部材６０がこの側壁部３１ａの開口部３８から外方に突出するようになっている。
【００１５】
また、一方の筐体２に対して、他方の筐体３を開くように回動した場合に、筐体２に対して筐体３の回動にともなって、カム７８の突起部７８ａとカムフォロア６４の突起部６４ａの係合が解かれることになる。ここで、カムフォロア６４を構成する係合部材６０は、コイルスプリング４０によって付勢されているので、係合部材６０は矢印Ｐ１方向に移動する。
この結果、この係合部材６０がこの側壁部３１ａの開口部３８から内方に後退するようになっている。
【００１６】
次に、上記の構成からなる本発明の携帯電話機の使用方法について説明する。この携帯電話機は、通常のとおり、着信信号により図示しない着信表示部が点灯または点滅して、使用者にその着信を知らせる。使用者は、一方の筐体３を他方の筐体２に対して拡開し、液晶表示部を目視しつつ、操作キーを操作して電話機として使用する。
そして、充電を行う場合には、携帯電話機１について、筐体３を筐体２に対して閉じた状態で、充電装置１０に押し入れる。これにより、携帯電話機１の両側の係合部材６０の下側傾斜面６０ａが、充電装置１０の係合突起１８ｂと２０ｂの上部傾斜面１８ｃと２０ｃに案内されることにより、係合突起１８ｂと２０ｂを弾性的に拡開し、携帯電話機１が下方に至った時点で係合突起１８ｂと２０ｂが弾性復帰し、携帯電話機１と充電装置１０が係合することで、携帯電話機１が定位置に保持される。
【００１７】
上記のように、携帯電話機１が充電装置１０に装着されると、携帯電話機１が充電装置１０に固定されることによって充電装置１０の図示しない給電端子と携帯電話機１の図示しない充電端子が接触し、充電がなされることになる。
そして、充電が完了して、これを取外す場合には、携帯電話機１の一方の第２の筐体３を他方の筐体２に対して開く。これにより、図５（ａ）に示すように軸体７０の小径部７４を介してカム７８が回動することによって、カムフォロア６４が従動し、コイルスプリング４０の付勢力によって、係合部材６０が後退する。
【００１８】
この実施の形態においては、一方の筐体３と他方の筐体２とが折畳み可能に連結されるとともに、充電装置１０に装着された際に、充電装置１０に係合する係合部材６０を備えた携帯電話機１において、一方の筐体３を他方の筐体２に対して閉じた際に、係合部材６０が突出し、筐体３を開いた際に係合部材６０が側壁部３１ａの開口部３８から筐体２の内方に後退するようになっているので、これを折畳んで充電装置１０に装着した場合には、携帯電話機１が充電装置１０に堅固に確実に固定することができ、携帯電話機１を充電装置１０から取出す場合は、容易に取外しが可能となる。
したがって、特に取り外しに際して、携帯電話機１や充電装置１０などの機器に、無理な力をかけることがないため、機器の損傷を防止することもできる。
【００１９】
また、携帯電話機１の筐体２の両側方に突出可能な係合部材６０を設けたので、充電装置１０に装着する際に、充電装置１０の係合突起１８ｂと２０ｂに確実に固定することができる。
また、携帯電話機１の筐体２の両側方に、突出部材６０を外方に突出させ、または内方に後退自在な切換機構３０を、カム７８とカムフォロア６４により構成したので、切換機構３０が簡単に構成でき、安価に生産することができる。また、係合部材６０の下側には傾斜面６０ａが形成されており、充電装置１０に装着する際に、係合突起１８ｂと２０ｂの傾斜面１８ｃと２０ｃに案内されて、容易に装着することができる。
【００２０】
また、この発明によれば、係合部材６０が筐体３を開閉可能に支持するヒンジ部４に設けたので、携帯電話機１全体をコンパクトに構成することができる。
また、携帯電話機１の筐体３を閉じた状態では、外観上、新たな部材が付加されておらず、また、突出部６０は携帯電話機１の筐体２の内部に後退していて、携帯電話機１の外部に突出していないため、携帯電話機１の操作の支障になるなど、使用者に違和感を与えることもない。
上記の実施形態については、付勢部材として、コイルスプリング４０を用いたが、コイルスプリング４０に代えて、皿バネ、板バネ等の他の種類のバネでもよく、また、他ゴム等の弾性体を用いてもよい。
【００２１】
以上説明したように、上記の実施の形態によれば、一方の筐体と他方の筐体とが折畳み可能に連結されるとともに、充電装置に装着された際に充電装置に係合する係合部材を備えた携帯端末装置において、一方の筐体を他方の筐体に対して閉じた際に係合部材が突出し、筐体を開いた際に係合部材が内方に後退するようになっているので、これを折畳んで充電装置に装着した場合には、充電装置に堅固に確実に固定することができ、これを取出す場合には、容易に取外しが可能となる。
したがって、特に取り外しに際して、機器に無理な力をかけることがないため、機器の損傷を防止することもできる。
【００２２】
また、筐体の両側方に突出可能な係合部材を設けたので、充電装置に装着する際に、確実に固定することができる。
また、この発明によれば、筐体の両側方に突出部材を外方に突出させ、または内方に後退自在な切換機構を、カムとカムフォロアによりなすように構成したので、切換機構が簡単に構成でき、安価に生産することができる。
また、この発明によれば、係合部材が筐体を開閉可能に支持するヒンジ部に設けたので、携帯端末装置全体をコンパクトに構成することができる。
また、携帯端末装置を使用する際には、突出部は後退していて、携帯端末装置の外部に突出していないため、携帯端末装置操作の支障になることもない。
【００２３】
【発明の効果】
携帯端末装置を充電装置から容易に取り外すことができる。
【図面の簡単な説明】
【図１】この発明の一実施形態に係る携帯電話機の斜視図である。
【図２】この発明の一実施形態に係る充電装置の斜視図である。
【図３】この発明の一実施形態に係る携帯電話機の縦断面図である。
【図４】この発明の一実施形態に係る充電装置の縦断面図である。
【図５】この発明の一実施形態に係る切換機構を示す縦断面図であり、（ａ）には、係合部材６０が後退した状態を、（ｂ）には係合部材が突出した状態を示す。
【符号の説明】
Ｏ      ヒンジ部の回動軸線
１      携帯電話機
２      第１の筐体
３      第２の筐体
４      ヒンジ部（連結部）
１０    充電装置
１８ｂ  充電装置の係合突起
２０ｂ  充電装置の係合突起
３０    切換機構
４０    コイルスプリング（付勢部材）
６０    係合部材
６４    カムフォロア
７８    カム
【図１】
2004297510.tif 000003
【図２】
2004297510.tif 000004
【図３】
2004297510.tif 000005
【図４】
2004297510.tif 000006
【図５】
2004297510.tif 000007